(57)【要約】      （修正有）【課題】看板および旗の表示部を動かすことで、人の目に付きやすく、また従来のもののように使用目的等を限定されない広告装置を提供する。【解決手段】モーター１１の回転軸にクランク１０を取り付け、クランクに軸を介したロッド９と昇降軸８を連結させ、昇降軸は軸ホルダーによって昇降フレーム下板７ｂと中央部で直結する。クランクの回転により昇降フレームを貫通する２柱のガイドシャフト４を介して、昇降フレームが往復運動する。また昇降フレームに取付板２を設けて看板の表示部を取り付け取り外せる機構により、表示部は固定されず使用領域が広がる。【選択図】図１
2005173518.tif 000002
【特許請求の範囲】
【請求項１】
モーターの回転軸に取り付けたクランクと軸を介して連結した昇降フレームが、動力の回転によって、フレームを貫通する２つのガイドシャフトを介して往復運動することを特徴とした表示装置。
【請求項２】
昇降フレームに取り付けられた取付板によって、表示部を取り付け取り外せる機構。
【請求項３】
請求項１の基台に設置する転倒停止装置により、異常時に発せられる電気信号で、モーターを停止させる装置をもつ往復運動する表示装置。
【請求項４】
請求項２の取付板の看板止上部位置を、表示部の大きさに合わせて可変させる機構。
【発明の詳細な説明】
【技術分野】
【０００１】  本発明は工事現場やイベント会場および店頭で、通行人および通行車輛から旗・看板をより気付きやすくさせるための往復運動する表示装置に関する
【背景技術】
【従来技術】
【０００２】  主に看板を動かそうとする装置はどうしても大掛かりになる。その他交通整理用を目的として、スイングアームにライトを取り付け、モーターで駆動させるロボットが使用されている。また看板に棒状ライトを取り付けてライトを動かすもの（特許文献１参照）もあるが、表示内容そのものが動くわけではない。
【特許文献】特開２００２−２８５５１８
【発明の開示】
【発明が解決しようとする課題】
【０００３】  通常設置している旗、看板は静止した状態では通行人の目に付きにくい。しかし従来の技術ではこれらを動かすロボット装置は複雑または高価で、また一度作ってしまうと表示内容が決まっており使用目的が限られるという問題点があった。【０００４】イベント会場や店頭で広告のためのロボット装置を設置するには、安全面と消音面を考慮する必要がある。しかし来店者のある店内でスペースは限られており、大きな装置は設置する事が出来ない。【０００５】  本発明は、看板および旗の表示部を動かす事で従来のもののように使用目的を限定しないためのものである。
【課題を解決するための手段】
【０００６】  装置を安価に押さえるため複雑な機構は使用せずに、モーターの回転軸にクランクを取り付け、クランクに軸を介したロッドと昇降軸を連結させ、昇降軸は軸ホルダーによって昇降フレーム下板と中央部で直結する。クランクの回転により昇降フレームを貫通する２柱のガイドシャフトを介して、フレームが往復運動する。これによって看板および旗の表示部に動きを持たせて通行人の注意を促進する。【０００７】  看板および旗そのものを動かすのでなく、往復運動のための昇降フレームに取付板を設けて看板の表示部を取り付け取り外せる機構により、表示部を固定せず使用領域が広がる。看板止上部と看板止下部によって簡単に表示板を取り付け取り外せ、また看板止上部のガイドプレートによって、表示部に合わせて看板止上部の位置を調整できる。【０００８】  基台に設置する転倒停止装置により、異常時にモーターを停止させ安全に使用できる。棒状のスイッチを設置する取付座を支点軸でケースに設置し、強い衝撃や傾斜の際にスイッチがケース内側に接触すると電気信号でモーターを停止させる。また取付座には錘とバネを取り付け、平時にスイッチが作動しないよう抑制する。【０００９】  台に取り付けたキャスターにより本発明を移動させることが出来る。【００１０】  基台に取り付ける安全手すりにより、昇降部に手を触れることなく本発明を移動できる。また手すりはリング状で設置されるので、通行人が不用意に本発明に近づけないよう安全帯も兼ねる。【００１１】  昇降フレームとロッドの取り付け方を変えることにより、上下だけでなく、左右や円周上の動作をすることが出来る。
【発明の効果】
【００１２】  上述のように、看板および旗の表示部を動かす事で通行人や通行車輛の目に気付きやすくする。【００１３】  看板および旗の表示部を取り付け取り外す事で、表示部が固定されないため使用領域が広がる。工事であれば現場を固定されず、広告であれば季節によって表示部を変更する事が簡単に出来る。【００１４】転倒停止装置やリング状安全手すりによって、人が多く出入りする場にも安全に設置出来る。【００１５】ガイドシャフトと昇降フレームの間に昇降を滑らかにするスライドユニットを設置し、基台と昇降フレーム間とフレームと昇降部上カバー間にジャバラをつける事で、防雨と消音の役目も果たす。また昇降部上カバーと昇降部間のジャバラも昇降部を覆う事で重ねて防雨と消音効果をもつ。
【発明を実施するための最良の形態】
【００１６】  以下、本発明の形態を図１〜図５に基づいて説明する。【００１７】  図において、１１からの動力で回転する１０は９を介して８と連結し、８は７ｂに設置された８ａにより７と連結している。よって１０の回転により７は、７ａから７ｂを貫通する２つの４を介して上下し、７に取り付けられた２も連動して２ａ−ａから２ａ−ｂ間の移動幅で上下の往復運動をする。【００１８】  ７に取り付けられた１、２によって看板の表示部は取り付け取り外す事が出来る。図２の２ｂのように１と２ａの間に表示部をはめ込み、２ｅにネジを使用して固定する。また１ａを上下させて１ｄにより固定する事で、表示部の大きさにあわせて１の位置を調整する。【００１９】  図１図２は全体の動きと８、９、１０、１１の関係を示した正面図と側面図である。１１によって回転する１０は９を介して８と連結し、８は８ａを介して７と連結する。よって１０の回転により７を貫通する４を介して７は昇降し、７に取り付けられた２も昇降する。また７ａ、７ｂの４との接触部に４ａを設置して昇降の際の磨耗をふせぐ。【００２０】  図３は９、１０、１１の連結部を示した詳細な断面図である。【００２１】  図４は１、２の連結部の詳細を示した図である。１は１ａを１ｂで受ける事によって、２に接着していないので位置を上下させることが出来、任意の場所で１ｄにより固定して表示部の大きさにあわせ調整する。また１ｃは１ｄで固定する際、１ａを傷つけないためのテフロンである。右図は、左図断面Ａ−Ａにそって１と２の接触部を詳細に示したものである。【００２２】  図５は安全対策として１４に設置する転倒停止装置である。１６を設置する１６ａは１６ｂで１２ａに取り付け、強い衝撃や傾斜の際に１６が１２ａの内側に接触すると、電気信号で１１を停止させる。また１６ａには１７および１８を取り付け、平時に１６が作動しないよう抑制する。
【図面の簡単な説明】
【００２３】
【図１】全体およびクランク軸正面図
【図２】クランク軸側面図
【図３】モーターおよびクランクアーム詳細側面図
【図４】看板止上部詳細および同図Ａ−Ａ断面図
【図５】転倒停止平面図および正面図
【符号の説明】
【００２３】  １  看板止上部
１ａ  ガイドプレート
１ｂ  ガイド受
１ｃ  スライド受
１ｄ  固定ボルト
２  取付板
２ａ  看板止下部
２ａ−ａ  看板止下部最上位置
２ａ−ｂ  看板止下部最下位置
３  昇降部上カバー
４  ガイドシャフト
４ａ  スライドユニット
５  スティーボルト
６ａ  ジャバラ上部
６ｂ  ジャバラ下部
７  昇降フレーム
７ａ  昇降フレーム上板
７ｂ  昇降フレーム下板
８  昇降軸
９  ロッド
１０  クランク
１１  モーター
１２  転倒停止装置
１２ａ  ケース
１３  リング状安全手すり
１４  基台
１５  キャスター
１６  転倒停止スイッチ
１６ａ  取付座
１６ｂ  支点軸
１７  錘
１８  バネ
【図１】
2005173518.tif 000003
【図２】
2005173518.tif 000004
【図３】
2005173518.tif 000005
【図４】
2005173518.tif 000006
【図５】
2005173518.tif 000007